(57)【要約】【課題】マグネットを内蔵した回転子を備える電動圧縮機において、安くて信頼性の高い電動圧縮機を実現できる着磁、組み立ての方法を提供することを目的とする。【解決手段】非磁性体の材料で形成された着磁治具１００に設けた複数の治具スロット１０４にマグネット１３０を挿入し、着磁後に着磁治具１００を回転子１１０に嵌装してマグネットスロット１１８へマグネット１３０を移送するもので、マグネット１３０が着磁治具１００に吸着せず、マグネット１３０の押圧搬出が容易である。【選択図】  図５
2004270544.tif 000002
【特許請求の範囲】
【請求項１】
マグネットを挿入する複数の治具スロットを備えるとともに非磁性体の材料で形成された着磁治具。
【請求項２】
挿入するマグネットはネオジウム等の希土類からなる請求項１に記載の着磁治具。
【請求項３】
回転子端部の所定の位置に嵌合する形状をなし、前記回転子に着磁治具を嵌合した時、複数の治具スロットが前記回転子を構成する回転子鉄心部に設けられた複数のマグネットスロットに各々対応するようにした請求項１または請求項２に記載の着磁治具。
【請求項４】
未着磁のマグネットを請求項３に記載の着磁治具に挿入する工程と、前記着磁治具の外周に旋回させたコイルに通電することで前記マグネットを着磁する工程と、前記着磁治具を回転子の端部に嵌合する工程と、既着磁マグネットを前記治具スロットから押し出し、マグネットスロットに移送挿入する工程とを備えた回転子の組み立て方法。
【請求項５】
マグネットを着磁する工程の後に、着磁のコイルとは別に設けたサーチコイルによって前記マグネットのフラックスを測定する工程を備えた請求項４に記載の回転子の組み立て方法。
【請求項６】
密閉容器内に固定子および回転子からなる電動機と前記電動機によって駆動される圧縮要素を収容し、前記圧縮要素は回転運動するシャフトと前記シャフトを軸支するとともに圧縮室を形成するシリンダーを備えた電動圧縮機において、前記シャフトに回転子が固定され、前記シリンダーに前記固定子が前記回転子と所定の隙間を保って同軸状に固定された後、請求項４または請求項５に記載の組み立て方法によって回転子スロットに既着磁マグネットが移送挿入される電動圧縮機の組み立て方法。
【請求項７】
請求項６に記載の組み立て方法によって組み立てられた電動圧縮機。
【請求項８】
電動機は回転子を構成する回転子鉄心部の周辺部に設けられた２次導体と、前記回転子鉄心部に埋め込まれたマグネットとを備えた２極の永久磁石型電動機である請求項７に記載の電動圧縮機。
【請求項９】
電動機はインバータ駆動用ＤＣモータである請求項７に記載の電動圧縮機。
【請求項１０】
密閉容器内に固定子およびマグネットを内蔵した回転子からなる電動機と前記電動機によって駆動される圧縮要素を収容し、前記回転子を構成する回転子鉄心部には前記マグネットを収納する複数のマグネットスロットを連通形成するとともに、前記マグネットスロットのマグネット挿入側開口部を開放したことを特徴とする電動圧縮機。
【請求項１１】
前記マグネットはネオジウム等の希土類からなる請求項１０に記載の電動圧縮機。
【請求項１２】
電動機は回転子を構成する回転子鉄心部の周辺部に設けられた２次導体と、前記回転子鉄心部に埋め込まれたマグネットとを備えた２極の永久磁石型電動機である請求項１０または１１のいずれか１項に記載の電動圧縮機。
【請求項１３】
電動機はインバータ駆動用ＤＣモータである請求項１０または１１のいずれか１項に記載の電動圧縮機。
【請求項１４】
請求項４から請求項６のいずれか１項に記載の組み立て方法によって組み立てられた１０から１３のいずれか１項に記載の電動圧縮機。
【発明の詳細な説明】
【０００１】
【発明の属する技術分野】
本発明は主に電動圧縮機の回転子に挿入されるマグネットの着磁方法と電動圧縮機の組み立て方法に関する技術である。
【０００２】
【従来の技術】
近年、地球環境に対する要求から家庭用冷蔵庫やエアコンは、ますます省エネ化への動きが加速されている。そういった中、冷媒電動圧縮機は回転子の中に磁石を内蔵した電動機の採用が増えてきている。
【０００３】
従来の着磁方法としては固定子の巻線に通電することで回転子の中に内蔵した磁石を着磁する方法がある（例えば、特許文献１参照。）。
【０００４】
以下、図面を参照しながら上記従来技術の着磁方法について説明する。
【０００５】
図１１は従来の電動圧縮機の密閉容器の縦断面図、図１２は従来の電動圧縮機の密閉容器を二分割した平面図である。図１１および図１２において、密閉容器１には電動機５およびこの電動機５によって駆動されるローリングピストン式の圧縮要素１０が収容されている。
【０００６】
電動機５は未着磁のマグネット７を内蔵する回転子８および密閉容器内周に固定される固定子９から構成される。圧縮要素１０を構成するシャフト１１には回転子８が嵌装される。固定子９の巻線１３はワニスによって含浸されている。
【０００７】
以上のような構成において次に着磁の動作を説明する。
【０００８】
シャフト１１を回転しないよう所定の位置で固定し、固定子の巻線１３に所定の電力を供給することで未着磁のマグネット７は着磁される。これは回転子に内蔵したマグネットへの着磁の方法として従来から最も一般的に採用されている方法である。
【０００９】
【特許文献１】
特開２００２−３００７６２号公報
【００１０】
【発明が解決しようとする課題】
しかしながらマグネットがネオジウム等の希土類から形成されている場合、通常使用されているフェライトに対して着磁には数倍の磁界の強さを必要とする。磁界の強さは電圧の二乗に比例するので、強い磁界を得るには高い電圧を印加することが多い。
【００１１】
着磁の場合、コンデンサーに溜めた電気エネルギーを瞬時に放電することで着磁に必要な電気エネルギーを得るが、この際、固定子の巻線は上記電気エネルギーによって加熱され、また強力な磁界の影響も加わり大きく変形し、また損傷をきたす。
【００１２】
特に回転子を構成する回転子鉄心部の周辺部に２次導体を設けた同期モータの場合、この２次導体が着磁を阻害するため、更に強い電気エネルギーを必要とし、通常の巻線への通電による着磁は巻線へのダメージが大き過ぎ、事実上困難である。
【００１３】
これを防ぐために従来技術では固定子の巻線をワニスによって含浸する技術を提案しているが、ワニス含浸にはかなりの工数増加を伴い、コストが高くなってしまうといった欠点を有していた。
【００１４】
一方、単純に着磁のされたマグネットを回転子に内蔵することも可能であるが、マグネットがネオジウム等の希土類から形成されている場合特に磁力が強く、マグネットが回転子鉄心に吸着してしまい、極めて作業性が悪くなるといった欠点を有していた。
【００１５】
本発明は安くて信頼性の高い電動圧縮機およびそれを実現できる着磁の方法を提供することを目的とする。
【００１６】
【課題を解決するための手段】
本発明の請求項１に記載の発明は、マグネットを挿入する複数の治具スロットを備えるとともに非磁性体の材料で形成されたもので、着磁後のマグネットが直接吸着せず、かつマグネット相互の磁力で相互に引き合うことでマグネットが治具スロット内に保持されるため、押圧搬出が容易であるという作用を有する。
【００１７】
請求項２に記載の発明は、請求項１の発明に加えて挿入するマグネットはネオジを含む希土類からなるもので、強い磁力を有する希土類からなるマグネットにおいても着磁後のマグネットが直接吸着せず、かつマグネット相互の磁力で相互に引き合うことでマグネットが治具スロット内に保持されるため、押圧搬出が容易であるという作用を有する。
【００１８】
請求項３に記載の発明は、請求項１または請求項２に記載の着磁治具であって、回転子端部の所定の位置に嵌合する形状をなし、前記回転子に着磁治具を嵌合した時、複数の治具スロットが前記回転子の鉄心部に設けられた複数のマグネットスロットに各々対応するようにしたもので、着磁後のマグネットを治具スロットから回転子スロットへと押圧移送しやすいという作用を有する。
【００１９】
請求項４に記載の発明は、未着磁のマグネットを請求項３に記載の着磁治具に挿入する工程と、前記着磁治具の外周に旋回させたコイルに通電することで前記マグネットを着磁する工程と、前記着磁治具を回転子の端部に嵌合する工程と、既着磁マグネットを前記治具スロットから押し出し、マグネットスロットに移送挿入する工程とを備えたもので、固定子巻線に通電せずに着磁できるという作用を有する。
【００２０】
請求項５に記載の発明は請求項４に記載の発明に、マグネットを着磁する工程の後に、着磁のコイルとは別に設けたサーチコイルによって前記マグネットのフラックスを測定する工程を備えたもので、マグネットの着磁後を確認できるという作用を有する。
【００２１】
請求項６に記載の発明は、密閉容器内に固定子および回転子からなる電動機と前記電動機によって駆動される圧縮要素を収容し、前記圧縮要素は回転運動するシャフトと前記シャフトを軸支するとともに圧縮室を形成するシリンダーを備えた電動圧縮機において、前記シャフトに回転子が固定され、前記シリンダーに前記固定子が前記回転子と所定の隙間を保って同軸状に固定された後、請求項４または請求項５に記載の組み立て方法によって回転子スロットに既着磁マグネットが移送挿入されるもので、既に固定子が回転子と所定の隙間を保って固定されているためマグネットの影響で前記所定の隙間が狂うことが無いという作用を有する。
【００２２】
請求項７に記載の発明は、請求項６に記載の組み立て方法によって組み立てられたもので、容易にかつ確実に組み立てられるという作用を有する。
【００２３】
請求項８に記載の発明は、請求項７に記載の発明に加えて、電動機は回転子を構成する回転子鉄心部の周辺部に設けられた２次導体と、前記回転子鉄心部に埋め込まれたマグネットとを備えた２極の永久磁石型電動機としたもので、容易にかつ確実に組み立てられる２極の永久磁石型電動機を備えた電動圧縮機を得ることができるという作用を有する。
【００２４】
請求項９に記載の発明は、請求項７に記載の発明に加えて、電動機はインバータ駆動用ＤＣモータとしたもので、容易にかつ確実に組み立てられるインバータ駆動用ＤＣモータを備えた電動圧縮機を得ることができるという作用を有する。
【００２５】
請求項１０に記載の発明は、密閉容器内に固定子およびマグネットを内蔵した回転子からなる電動機と前記電動機によって駆動される圧縮要素を収容し、前記回転子を構成する回転子鉄心部には前記マグネットを収納する複数のマグネットスロットを連通形成するとともに、前記マグネットスロットのマグネット挿入側開口部を開放したことで、磁化されたマグネットがマグネットスロット内で自己保持され、封止するための部材が不要となる、という作用を有する。
【００２６】
請求項１１に記載の発明は、請求項１０に記載の発明に加えて、マグネットはネオジウム等の希土類からなるもので、磁化されたマグネットが更に確実にマグネットスロット内で自己保持されるという作用を有する。
【００２７】
請求項１２に記載の発明は、請求項１０または請求項１１に記載の発明に加えて、電動機は回転子を構成する回転子鉄心部の周辺部に設けられた２次導体と、前記回転子鉄心部に埋め込まれたマグネットとを備えた２極の永久磁石型電動機としたもので、部品点数と組み立て工数の少ない２極の永久磁石型電動機を備えた電動圧縮機を得ることができるという作用を有する。
【００２８】
請求項１３に記載の発明は、請求項１０または請求項１１に記載の発明に加えて電動機はインバータ駆動用ＤＣモータとしたもので、部品点数と組み立て工数の少ないインバータ駆動用ＤＣモータを備えた電動圧縮機を得ることができるという作用を有する。
【００２９】
請求項１４に記載の発明は、請求項４から請求項６のいずれか１項に記載の組み立て方法によって組み立てられた請求項１０から請求項１３のいずれか１項に記載の電動圧縮機としたことで、部品点数が少なく、容易にかつ確実に組み立てられる電動圧縮機を得ることができるという作用を有する。
【００３０】
【発明の実施の形態】
以下、本発明による着磁治具および製造方法および電動圧縮機の実施の形態について、図面を参照しながら説明する。
【００３１】
（実施の形態１）
図１は本発明の実施の形態１による着磁治具の上面図、図２は同着磁治具の横断面図である。図３は本発明の実施の形態１による回転子の上面図、図４は同回転子の横断面図である。
【００３２】
図１から図４において、略円筒形をなし、非磁性体であるステンレススチールからなる着磁治具１００は中心にシャフトに嵌合する貫通孔１０２を穿孔し、この軸心方向にマグネットを挿入するための治具スロット１０４が貫通孔１０２を囲うように４箇所に穿孔されている。各治具スロット１０４の中心近傍には各治具スロット１０４の幅より大きい径の押し出しピン穴１０６が設けてある。
【００３３】
２極の磁石型電動機を形成する回転子１１０は珪素鋼板を積層することで形成された鉄心部１１２および鉄心部１１２の両端面にアルミのダイキャストで形成されたエンドリング１１４を備えている。鉄心部１１２の外周近傍にはエンドリング１１４を連通するアルミのダイキャストでできた複数の２次導体部１１５が設けられる。また鉄心部１１２にはシャフトが圧入されるシャフト穴１１６が穿孔され、その周囲を囲うように、マグネットを収容するマグネットスロット１１８が設けられている。エンドリング１１４の内周形状は、両端が削られた略楕円状をなしている。鉄心部１１２の下端面にはマグネットスロット１１８の下端開口端を封止する端版１１９が固定されている。
【００３４】
着磁治具１００の外径形状は回転子１１０のエンドリング１１４が形成する、両端が削られた略楕円の形状をなし、回転子１１０の上端面に嵌合するようになっている。また着磁治具１００に設けた４つの治具スロット１０４は着磁治具１００が回転子１１０に嵌装された時、回転子１１０のマグネットスロット１１８と対向一致するように形成されている。
【００３５】
以上のような構成において、着磁されたネオジウムからなるマグネットが挿入された着磁治具１００を回転子１１０の上端面に嵌装し、上記マグネットを着磁治具１００から回転子１１０のマグネットスロット１１８へ押し出すことでマグネットスロット１１８へマグネットを装填することができる。
【００３６】
この際、着磁治具１００を形成しているステンレススチールは非磁性体であるためマグネットは着磁治具１００には吸着せず、マグネットを着磁治具１００から回転子１１０のマグネットスロット１１８へ押し出す際に小さな抵抗で押し出しことができ、スムーズな作業が可能であり、且つマグネット本体への傷付き等を防ぐことができる。特にネオジウムといった強力な磁力を発揮するマグネットにおいては非常に有効である。
【００３７】
またマグネットは相互の磁力によって着磁治具１００内に保持されているため、治具スロット１０４が重力方向に向いてもマグネットは落下しないため、極すこぶる作業性が良い。
【００３８】
更にマグネットを着磁治具１００から回転子１１０のマグネットスロット１１８へ押し出す際には各治具スロット１０４に設けた押し出しピン穴に各々ピンを挿入して押し出すことで同時にしかも確実にマグネットをマグネットスロット１１８の所定の位置に装填することができる。
【００３９】
以上のように本実施の形態によれば電動圧縮機の組み立て工程において極めて良好な作業性をもたらす着磁治具が実現できる。
【００４０】
なお、本実施の形態において着磁治具１００は非磁性体であるステンレススチールから形成したが、他の非磁性体材料である、非鉄系金属や樹脂材料で形成しても実現可能である。
【００４１】
具体的にはアルミ合金にアルマイト処理を施し表面を効果させたものや四フッ化エチレンのように自己潤滑性のある樹脂材料が考えられる。
【００４２】
（実施の形態２）
本実施の形態においては本発明による回転子および圧縮機の組み立て方法について述べる。
【００４３】
図５はマグネット挿入工程を示す斜視図、図６は着磁、計測工程を示す断面図、図７は着磁治具嵌合工程を示す断面図、図８はマグネット移送挿入工程を示す断面図である。
【００４４】
まず、マグネットを着磁治具に挿入する工程を説明する。
【００４５】
図５において、着磁治具１００に設けた４つの治具スロット１０４に、未着磁のネオジウムからなるマグネット１３０をおのおの挿入する。挿入後は自重でマグネット１３０が治具スロット１０４から落下しないよう、着磁治具１００は治具スロット１０４を重力に対し略垂直の向きに保持する。ここでマグネット１３０は未着磁であるため、治具スロット１０４への挿入時はマグネット１３０相互の磁気吸引力が働かないため、挿入は極めて容易である。
【００４６】
以上で未着磁のマグネットを着磁治具に挿入する工程は完了する。
【００４７】
次に、マグネットを着磁する工程を説明する。
【００４８】
図６において、略円筒状に巻回された着磁コイル１４０には、強い電力を供給できる電源（図示せず）が接続されるとともに、同様に巻回されたサーチコイル１４２が併設されている。なお、着磁コイル１４０、サーチコイル１４２ともにワニスの含浸によって固形化されている。
【００４９】
未着磁のマグネットが挿入された着磁治具は治具スロット１０４を重力に対し略垂直の向きに保持した状態のまま着磁コイル１４０内に搬入される。搬入は専用の治具（図示せず）によって着磁コイル１４０内の所定の位置に保持される。その後、上記電源（図示せず）から着磁コイル１４０に所定の電力が供給されることでマグネット１３０の着磁は完了する。その後、サーチコイル１４２によってマグネット１３０のフラックスが測定され、着磁ミスを予防することができる。
【００５０】
以上で着磁治具の外周に旋回させたコイルに通電することでマグネットを着磁する工程と、サーチコイルによってマグネットのフラックスを測定する工程は完了する。
【００５１】
次に、着磁治具を回転子の端部に嵌合する工程について説明する。
【００５２】
図７において、電動圧縮機の機械部１９０は固定子２０３および回転子１１０からなる電動機２０５と前記電動機によって駆動される圧縮要素２１０から成っている。機械部１９０は回転運動するシャフト２１２と前記シャフト２１２を軸支するとともに圧縮室２１４を形成するシリンダー２１６を備えている。
【００５３】
機械部１９０はシャフト２１２に回転子１１０を固定した後、一定の厚さを持ったスペーサーを回転子１１０との間に挟んでシリンダー２１６に固定子２０３が固定されることで、回転子１１０と所定の隙間２２０を形成する。
【００５４】
この際、回転子１１０には未だマグネット１３０は挿入されていないため、マグネットの磁力の影響による偏りを生ずることなく、固定子２０３と回転子１１０との隙間２２０は全周に渡ってほぼ均一な寸法精度が維持されている。
【００５５】
以上のような状態まで組み立てられた機械部１９０に対して、回転子１１０の上端面に着磁の完了したマグネット１３０を収納した着磁治具１００を嵌装する。
【００５６】
以上で着磁治具を回転子の端部に嵌合する工程は完了する。
【００５７】
最後に、マグネットをマグネットスロットに移送挿入する工程を説明する。
【００５８】
図８において回転子１１０には着磁治具１００が嵌装されており、押し出しピン穴１０６に各々挿入された棒状の押し出しピン１８０を部材１８２を介して下方に挿圧することで、マグネット１３０は鉄心部１１２に設けられたマグネットスロット１１８に移送される。そしてマグネット１３０は端版１１９に当り止ることで所定の位置に収納される。
【００５９】
以上で既着磁マグネットを前記治具スロットから押し出し、マグネットスロットに移送挿入する工程は完了する。
【００６０】
以上のように本実施の形態によれば着磁されたマグネットを極めて容易にかつスムーズに回転子に収納することができ、作業性がよく、かつ固定子に過大な電流を流すことが無いので信頼性が高く、固定子の巻線をワニス含浸する必要もないので安価な圧縮機を得ることができる組み立て方法が実現できた。
【００６１】
（実施の形態３）
図９は実施の形態３における電動圧縮機の横断面図である。
【００６２】
図９において、密閉容器２００には固定子２０３および回転子１１０からなる電動機２０５と前記電動機によって駆動される圧縮要素２１０を収容している。
【００６３】
圧縮要素２１０は回転運動するシャフト２１２と前記シャフト２１２を軸支するとともに圧縮室２１４を形成するシリンダー２１６を備えている。
【００６４】
シャフト２１２には回転子１１０が固定され、シリンダー２１６には固定子２０３が回転子１１０と所定の隙間２２０を保ってシャフト２１２と同軸状に固定されている。
【００６５】
回転子１１０は珪素鋼板を積層することで形成された鉄心部１１２および鉄心部１１２の両端面にアルミのダイキャストで形成されたエンドリング１１４を備えている。鉄心部１１２の外周近傍にはエンドリング１１４を連通するアルミのダイキャストでできた複数の２次導体部１１５が設けられ、マグネットを収容するマグネットスロット１１８にはネオジウムでできたマグネット１３０を収容しており、２極の磁石型電動機を形成している。鉄心部１１２の下端面にはマグネットスロット１１８の下端開口端を封止する端版１１９が固定されている。そして、マグネットスロット１１８の上端開口端は封止用の端版を設けることなく開放した状態としている。また、（実施の形態２）で述べた組み立て方法で組み立てられている。
【００６６】
以上のような構成において次に動作を説明する。
【００６７】
固定子２０３に家庭用電源より通電がされると回転子１１０はシャフト２１２とともに回転する。これに伴い圧縮要素２１０は圧縮室２１４内で吸入ガスを圧縮する所定の圧縮動作をおこなう。
【００６８】
圧縮機の組み立て方法は（実施の形態２）で述べた方法を用いているため、作業性がよく、かつ固定子に過大な電流を流すことが無いので信頼性の高い電動圧縮機を得ることができる。
【００６９】
また固定子の巻線をワニス含浸する必要も無く安価な電動圧縮機を得ることができる。
【００７０】
更には所定の位置に収納されたマグネット１３０はマグネットスロット１１８内で珪素鋼板に吸着しているため、相当の力がかからないと所定の位置からずれることは無い。従って少なくともマグネットスロット１１８の挿入側開口部（上端面）を封止する必要が無く、挿入側開口部側の端版は不要である。
【００７１】
加えて押し出しピン穴１０６に各々挿入された棒状の押し出しピン１８０を部材１８２を介して下方に所定距離挿圧することで、マグネット１３０は鉄心部１１２に設けられたマグネットスロット１１８の所定の位置に収納される。従って本実施の形態で述べた端版１１９を省くことも可能である。その結果、部品点数の少ない安価な電動圧縮機を得ることができる。
【００７２】
以上のように本実施の形態によれば信頼性が高く、部品点数の少ない安価な電動圧縮機を得ることができる。
【００７３】
（実施の形態４）
図１０は実施の形態４における電動圧縮機の横断面図である。
【００７４】
なお、実施の形態３と同一構成については同一符号を付して詳細な説明を省略する。
【００７５】
図１０において、密閉容器２００には固定子３０３および回転子３１０からなる電動機３０５と前記電動機によって駆動される圧縮要素２１０を収容している。
【００７６】
圧縮要素２１０は回転運動するシャフト２１２と前記シャフト２１２を軸支するとともに圧縮室２１４を形成するシリンダー２１６を備えている。
【００７７】
シャフト２１２には回転子３１０が固定され、シリンダー２１６には固定子３０３が回転子３１０と所定の隙間３２０を保ってシャフト２１２と同軸状に固定されている。
【００７８】
回転子３１０は珪素鋼板を積層することで形成された鉄心部３１２にマグネットを収容するマグネットスロット３１８を形成し、マグネットスロット３１８にはネオジウムでできたマグネット３３０を収容しており、インバータ駆動用ＤＣモータを形成している。鉄心部３１２の下端面にはマグネットスロット３１８の下端開口端を封止する端版３１９が固定されている。また、（実施の形態２）で述べた組み立て方法で組み立てられている。
【００７９】
以上のような構成において次に動作を説明する。
【００８０】
固定子３０３にインバータ駆動回路（図示せず）より通電がされると回転子３１０はシャフト２１２とともに回転する。これに伴い圧縮要素２１０は圧縮室２１４内で吸入ガスを圧縮する所定の圧縮動作をおこなう。
【００８１】
圧縮機の組み立て方法は（実施の形態２）で述べた方法を用いているため、作業性がよく、かつ固定子に過大な電流を流すことが無いので信頼性の高い電動圧縮機を得ることができる。
【００８２】
また固定子の巻線をワニス含浸する必要も無く安価な電動圧縮機を得ることができる。
【００８３】
更には所定の位置に収納されたマグネット３３０はマグネットスロット３１８内で珪素鋼板に吸着しているため、相当の力がかからないと所定の位置からずれることは無い。従って少なくともマグネットスロット３１８の挿入側開口部（上端面）を封止する必要が無く、挿入側開口部側の端版は不要である。
【００８４】
加えて押し出しピン穴１０６に各々挿入された棒状の押し出しピン１８０を部材１８２を介して下方に所定距離挿圧することで、マグネット３３０は鉄心部３１２に設けられたマグネットスロット３１８の所定の位置に収納される。従って本実施の形態で述べた端版３１９を省くことも可能である。その結果、部品点数の少ない安価な電動圧縮機を得ることができる。
【００８５】
以上のように本実施の形態によれば信頼性が高く、部品点数の少ない安価な電動圧縮機を得ることができる。
【００８６】
【発明の効果】
以上説明したように本発明の請求項１に記載の発明は、着磁後のマグネットの押圧搬出が容易であるため、作業性の良好な着磁治具が得られる。
【００８７】
請求項２に記載の発明は、請求項１の発明に加えて強い磁力を有する希土類からなるマグネットにおいても作業性の良好な着磁治具が得られる。
【００８８】
請求項３に記載の発明は、請求項１または請求項２に加えて、着磁後のマグネットを治具スロットから回転子スロットへと押圧移送しやすい作業性の良好な着磁治具が得られる。
【００８９】
請求項４に記載の発明は、固定子巻線に通電せずに着磁できるため、信頼性が高く、かつ安価な圧縮機が実現できる回転子の組み立て方法が得られる。
【００９０】
請求項５に記載の発明は請求項４に記載の発明に加えて、マグネットの着磁後を確認できることで確実に着磁されたマグネットを備えた回転子の組み立て方法が得られる。
【００９１】
請求項６に記載の発明は、固定子が回転子と所定の隙間を保って固定されているためマグネットの影響で前記所定の隙間が狂うことが無い、信頼性の高い電動圧縮機を実現できる組み立て方法が得られる。
【００９２】
請求項７に記載の発明は、請求項６に記載の組み立て方法によって組み立てられたもので、容易にかつ確実に組み立てられるため、安くて信頼性の高い電動圧縮機を実現できる。
【００９３】
請求項８に記載の発明は、請求項７に記載の発明に加えて、電動機は回転子を構成する回転子鉄心部の周辺部に設けられた２次導体と、前記回転子鉄心部に埋め込まれたマグネットとを備えた２極の永久磁石型電動機としたもので、容易にかつ確実に組み立てられる２極の永久磁石型電動機を備えた電動圧縮機を得ることができる。
【００９４】
請求項９に記載の発明は、請求項７に記載の発明に加えて、容易にかつ確実に組み立てられるインバータ駆動用ＤＣモータを備えた電動圧縮機を得ることができる。
【００９５】
請求項１０に記載の発明は、磁化されたマグネットがマグネットスロット内で自己保持され、封止するための部材が不要となり、部品点数が少なく、安価な電動圧縮機を得ることができる。
【００９６】
請求項１１に記載の発明は、請求項１０に記載の発明に加えて、磁化されたマグネットが更に確実にマグネットスロット内で自己保持され安くて信頼性の高い電動圧縮機を実現できる。
【００９７】
請求項１２に記載の発明は、請求項１０または１１のいずれか１項に記載の発明に加えて、部品点数と組み立て工数の少ない安くて信頼性の高い２極の永久磁石型電動機を実現できる。
【００９８】
請求項１３に記載の発明は、請求項１０または１１のいずれか１項に記載の発明に加えて、部品点数と組み立て工数の少ないインバータ駆動用ＤＣモータを備えた電動圧縮機を実現できる。
【００９９】
請求項１４に記載の発明は、部品点数が少なく、容易にかつ確実に組み立てられる電動圧縮機を実現できる。
【図面の簡単な説明】
【図１】本発明による着磁治具の実施の形態１の上面図
【図２】同実施の形態の着磁治具の横断面図
【図３】同実施の形態の回転子の上面図
【図４】同実施の形態の回転子の横断面図
【図５】本発明の実施の形態２のマグネット挿入工程を示す斜視図
【図６】同実施の形態の着磁および計測工程を示す断面図
【図７】同実施の形態の着磁治具嵌合工程を示す断面図
【図８】同実施の形態のマグネット移送挿入工程を示す断面図
【図９】本発明の圧縮機の実施の形態３の横断面図
【図１０】本発明の圧縮機の実施の形態４の横断面図
【図１１】従来の圧縮機の断面図
【図１２】従来の圧縮機の上面図
【符号の説明】
１００  着磁治具
１０４  治具スロット
１１０，３１０  回転子
１１５  ２次導体部
１１８，３１８  マグネットスロット
１３０，３３０  マグネット
１４２  サーチコイル
２００  密閉容器
２０３，３０３  固定子
２０５，３０５  電動機
２１０  圧縮要素
２１２  シャフト
２１４  圧縮室
２１６  シリンダー
【図１】
2004270544.tif 000003
【図２】
2004270544.tif 000004
【図３】
2004270544.tif 000005
【図４】
2004270544.tif 000006
【図５】
2004270544.tif 000007
【図６】
2004270544.tif 000008
【図７】
2004270544.tif 000009
【図８】
2004270544.tif 000010
【図９】
2004270544.tif 000011
【図１０】
2004270544.tif 000012
【図１１】
2004270544.tif 000013
【図１２】
2004270544.tif 000014